(57)【特許請求の範囲】
【請求項１】
本体が、長手方向に延設される凹状内面を備えた前部と、長手方向に延設される凹状内面を備えた後部とからなり、前記前部の後端部と前記後部の前端部とを屈曲状に接続し、前記前部の凹状内面と前記後部の凹状内面とを連通させ、前記前部の底壁及び前記後部の底壁に長手方向に延びる長孔を貫設し、前記前部の底壁の長孔と前記後部の底壁の長孔とを、前部と後部との接続部にて連通させてなることを特徴とするエアブラシ用スタンド。
【請求項２】
前記前部の側壁に切り欠きを設けた請求項１記載のエアブラシ用スタンド。
【請求項３】
前記後部の凹状内面の後端部に係止壁を突設した請求項１又は２記載のエアブラシ用スタンド。
【請求項４】
前記前部の両側の側壁の間隔及び後部の両側の側壁の間隔が、１５ｍｍ〜３０ｍｍの範囲であり、前記長孔の幅寸法が、１０ｍｍ〜１５ｍｍの範囲である請求項１乃至３のいずれかに記載のエアブラシ用スタンド。
【発明の詳細な説明】
【０００１】
【発明の属する技術分野】
本発明は、模型塗装や写真修正等に使用するエアブラシを保持するためのスタンドに関する。特に、塗料カップがエアブラシ本体のヘッド部の上側に取り付けられ、重力により塗料カップ内の塗料がエアブラシ本体内に供給されるタイプのエアブラシを保持するためのスタンドに関する。
【０００２】
【従来の技術】
従来のエアブラシ用スタンドは、エアブラシの外形状に対応した形状を有しているため、エアブラシに多くの種類があるにもかかわらず、一つのエアブラシ用スタンドに保持できるエアブラシの種類が限られていた。それにより、外形状の異なる複数種のエアブラシを持つユーザーにとっては、それぞれのエアブラシに対応するスタンドを準備する必要があった。また、メーカーにとっても、それぞれのエアブラシに対応したスタンドを提供しなければならなかった。
【０００３】
尚、エアブラシの種類としては、例えば、トリガー式（即ち、本体の下部にトリガーと把手部を設けたもの）と、プッシュボタン式（即ち、本体の上部にプッシュボタンを設け、本体の下部にホース接続部を設けたもの）が挙げられる。
【０００４】
【発明が解決しようとする課題】
本発明は前記従来の課題を解決するものであって、複数の種類のエアブラシを保持することができるエアブラシ用スタンドを提供しようとするものである。
【０００５】
【課題を解決するための手段】
〔１〕本発明のエアブラシ用スタンド１は、本体２が、長手方向に延設される凹状内面４を備えた前部３と、長手方向に延設される凹状内面６を備えた後部５とからなり、前記前部３の後端部と前記後部５の前端部とを屈曲状に接続し、前記前部３の凹状内面４と前記後部５の凹状内面６とを連通させ、前記前部３の底壁４１及び前記後部５の底壁６１に長手方向に延びる長孔４３，６３を貫設し、前記前部３の底壁４１の長孔４３と、前記後部５の底壁６１の長孔６３とを、前部３と後部５との接続部にて連通させてなること（請求項１）を要件とする。
【０００６】
（作用）
前記トリガー式のエアブラシの場合、前記長孔４３，６３に、エアブラシ本体のトリガーが挿入され、前記前部３の凹状内面４にエアブラシ本体のヘッド部が保持され、前記後部５の凹状内面６にエアブラシ本体の把手部が保持される。前記プッシュ式のエアブラシの場合、前記長孔４３，６３に、エアブラシ本体のヘッド部が挿入され、前記前部３の凹状内面４に、エアブラシ本体より上方に突出する塗料カップが保持され、前記後部５の凹状内面６に、エアブラシ本体の下方に突出するホース接続部が保持される。
【０００７】
特に、「前部３の底壁４１の長孔４３と、後部５の底壁６１の長孔６３とを、前部３と後部５との接続部にて連通させてなること」により、例えば、図６に示すように、トリガー７３が把手部７２とヘッド部７１との接続箇所に位置するトリガー式エアブラシの場合でも、前記トリガー７３を長孔４３，６３に挿入をさせることができ、また、図７に示すように、ヘッド部８１の下面と把手部８２とを接続する長手方向のリブ８５を有するトリガー式エアブラシの場合でも、前記リブ８５を長孔４３，６３に挿入させることができ、さらに、図８に示すように、細径のヘッド部９１を有するプッシュボタン式エアブラシの場合でも、前記ヘッド部９１全体を長孔４３，６３に挿入させることができ、エアブラシを安定保持できる。したがって、請求項１により、単一のエアブラシ用スタンド１で複数の種類のエアブラシ７，８，９を保持することが可能となる。
【０００８】
〔２〕前記請求項１において、前部３の側壁４２に切り欠き４２ａを設けること（請求項２）が好ましい。前記切り欠き４２ａは、前部３の側壁４２のいずれか一方に設ける構成、または、前部３の側壁４２の両側に設ける構成のいずれでもよい。
【０００９】
（作用）
前記切り欠き４２ａは、エアブラシ本体のヘッド部の側面より突出する部分（例えば、ニードル固定ネジ、又は塗料カップ等）と係合し、より一層、エアブラシを安定保持することができる。
【００１０】
〔３〕前記請求項１又は２において、後部５の凹状内面６の後端部に係止壁６４を突設させること（請求項３）が好ましい。
【００１１】
（作用）
前記係止壁６４には、エアブラシ本体の下方に突出する部分（例えば、把手部、又はホース接続部等）の後端部が係止され、より一層、エアブラシを安定保持することができる。
【００１２】
〔４〕前記請求項１、２又は３において、前部３及び後部５の両側の側壁４２，６２の間隔Ｓ１，Ｓ２が、１５ｍｍ〜３０ｍｍの範囲であり、前記前部３及び後部５の長孔４３，６３の幅寸法Ｔ１，Ｔ２が、１０ｍｍ〜１５ｍｍの範囲であること（請求項４）が好ましい。それにより、市販されているほとんどのエアブラシを保持することができる。
【００１３】
【発明の実施の形態】
本発明の実施の形態を図面に従って説明する。
【００１４】
（実施例）
図１乃至図５に本発明のエアブラシ用スタンド１の一実施例を示す。本実施例のエアブラシ用スタンド１の本体２は、長手方向に延設される凹状内面４を備えた前部３と、長手方向に延設される凹状内面６を備えた後部５とが、屈曲状（Ｌ字状）に一体に連設されてなる。前記本体２は、合成樹脂製（例えば合成樹脂の射出成形）であることが安価に提供できる点で好ましいが、金属製であってもよい。
【００１５】
前記前部３の凹状内面４及び後部５の凹状内面６は、各々、底壁４１，６１とその両側の側壁４２，６２とを備える。前記前部３の凹状内面４の両側の側壁４２内面と、前記後部５の凹状内面６の両側の側壁６２内面とは同一平面である。前記前部３の凹状内面４の底壁４１内面と、前記後部５の凹状内面６の底壁６１内面とのなす角度は、１５０度〜１７０度である。また、前記前部３の底壁４１及び前記後部５の底壁６１には、長手方向に延びる長孔４３，６３が貫設され、前記前部３の底壁４１の長孔４３と後部５の底壁６１の長孔６３とが、前部３と後部５の接続部にて連通されている。図４に示すように、前記凹状内面４，６及び長孔４３，６３は、前後方向に延設され、また、前記凹状内面４，６は、上方に開口している。
【００１６】
また、前記前部３の一方の側壁４２の後端部には、上方に開口する半円状の切り欠き４２ａが設けられる。また、前記後部５の凹状内面６の後端には、底壁６１及び両側の側壁６２に接続する板状リブよりなる係止壁６４が形成される。さらに、前記係止壁６４には、半円状の切り欠き６４ａが形成される。
【００１７】
本実施例では、図２に示すように、本体２の前部３において、両側の側壁４２の間隔Ｓ１は、１９ｍｍに設定され、底壁４１に形成された長孔４３の幅寸法Ｔ１は、１３ｍｍに設定されている。また、図３に示すように、本体２の後部５において、両側の側壁６２の間隔Ｓ２は、１９ｍｍに設定され、底壁６１に形成された長孔６３の幅寸法Ｔ２は、１２ｍｍに設定されている。
【００１８】
本実施例のエアブラシ用スタンド１は、実際には、図５に示すように、接続部材１１を介してコンプレッサ本体１０に固定され、使用される。この他にも、図示はしないが、本発明のエアブラシ用スタンド１を、接続部材等を介して作業台や机に固定し、使用することもできる。
【００１９】
（使用例１）
図６に、図１のエアブラシ用スタンド１に第１のエアブラシ７を保持した状態を示す。前記第１のエアブラシ７は、プラスチック製のピストル型本体よりなるトリガー式であり、上部に塗料カップ７４が突設され且つ先端に吐出孔を有するヘッド部７１と、該ヘッド部７１の下方に延設される把手部７２と、該ヘッド部７１の側面より突出されるニードル固定ネジ７５と、該ヘッド部７１と把手部７２との接続部より突出する板状のトリガー７３とを備える。
【００２０】
前記第１のエアブラシ７を図１のエアブラシ用スタンド１に保持させると、前記トリガー７３が前部３の長孔４３及び後部５の長孔６３に挿入され、前記ヘッド部７１が前部３の凹状内面４に支持され、前記把手部７２が後部５の凹状内面６に支持され、前記ニードル固定ネジ７５が切り欠き４２ａに係合される。
【００２１】
（使用例２）
図７に、図１のエアブラシ用スタンド１に第２のエアブラシ８を保持した状態を示す。前記第２のエアブラシ８は、金属製のピストル型本体よりなるトリガー式であり、上部に塗料カップ８４が突設され且つ先端に吐出孔を有するヘッド部８１と、該ヘッド部８１の下方に延設される把手部８２と、該ヘッド部８１の下面と把手部８２とを接続する長手方向に延びるリブ８５と、該ヘッド部８１の下方に突出するトリガー８３とを備える。
【００２２】
前記第２のエアブラシ８を図１のエアブラシ用スタンド１に保持させると、前記トリガー８３が前部３の長孔４３に挿入され、前記リブ８５が前部３の長孔４３及び後部５の長孔６３に挿入され、前記ヘッド部８１が前部３の凹状内面４に支持され、前記把手部８２が後部５の凹状内面６に支持され、前記把手部８２の後端部が係止壁６４内面に支持される。また、把手部８２の後端部にはホース接続部８６が突設され、前記ホース接続部８６が、係止壁６４の半円状の切り欠き６４ａに係合される。
【００２３】
（使用例３）
図８に、図１のエアブラシ用スタンド１に第３のエアブラシ９を保持した状態を示す。前記第３のエアブラシ９は、金属製本体よりなるプッシュボタン式であり、先端に吐出孔を有する細径のヘッド部９１と、該ヘッド部９１に下方に延設されるホース接続部９２と、該ヘッド部９１の上部に突設される塗料カップ９３と、該ホース接続部９２の反対側のヘッド部９１の上方に突設されるプッシュボタン９４とを備える。
【００２４】
前記第３のエアブラシ９を図１のエアブラシ用スタンド１に保持させると、前記ヘッド部９１の全体が前部３及び後部５の長孔４３，６３に挿入され、前記塗料カップ９３が前部３の凹状内面４に支持され、前記ホース接続部９２が後部５の凹状内面６の底壁６１に支持される。
【００２５】
【発明の効果】
請求項１により、一つのエアブラシ用スタンドで複数種のエアブラシを保持することが可能となる。
【００２６】
請求項２により、より一層、エアブラシを安定保持することができる。
【００２７】
請求項３により、より一層、エアブラシを安定保持することができる。
【００２８】
請求項４の発明により、市販されているほとんどのエアブラシを保持することができる。
【図面の簡単な説明】
【図１】本発明の一実施例を示す縦断面図である。
【図２】図１のＡ−Ａ線断面図である。
【図３】図１のＢ−Ｂ線断面図である。
【図４】図１のＣ−Ｃ矢視図である。
【図５】図１の取付状態を示す斜視図である。
【図６】図１に第１のエアブラシを保持した状態を示す正面図である。
【図７】図１に第２のエアブラシを保持した状態を示す縦断面図である。
【図８】図１に第３のエアブラシを保持した状態を示す縦断面図である。
【符号の説明】
１  エアブラシ用スタンド
２  本体
３  前部
４  凹状内面
４１  底壁
４２  側壁
４２ａ  切り欠き
４３  長孔
５  後部
６  凹状内面
６１  底壁
６２  側壁
６３  長孔
６４  係止壁
６４ａ  切り欠き
Ｓ１  前部の両側の側壁の間隔
Ｓ２  後部の両側の側壁の間隔
Ｔ１  前部の長孔の幅寸法
Ｔ２  後部の長孔の幅寸法
７  第１のエアブラシ
７１  ヘッド部
７２  把手部
７３  トリガー
７４  塗料カップ
７５  ニードル固定ネジ
８  第２のエアブラシ
８１  ヘッド部
８２  把手部
８３  トリガー
８４  塗料カップ
８５  リブ
８６  ホース接続部
９  第３のエアブラシ
９１  ヘッド部
９２  ホース接続部
９３  塗料カップ
９４  プッシュボタン
１０  コンプレッサ本体
１１  接続部材
【図１】
0003896271.tif 000002
【図２】
0003896271.tif 000003
【図３】
0003896271.tif 000004
【図４】
0003896271.tif 000005
【図５】
0003896271.tif 000006
【図６】
0003896271.tif 000007
【図７】
0003896271.tif 000008
【図８】
0003896271.tif 000009